(57)【要約】  【課題】  部位単位の映像信号を出力することが可能なテレビジョンカメラ装置を提供する。  【解決手段】  取り出したい素材の特定波長のレーザー光１１で素材１２を照射し、カメラ１５ａの前に特定波長のフィルタ１４ａを配置して、特定波長の映像信号を出力させることを特徴とする。【選択図】  図１
2006003247.tif 000002
【特許請求の範囲】
【請求項１】
取り出したい素材の特定波長のレーザー光で素材を照射し、カメラの前に前記特定波長のフィルタを配置して、前記特定波長の映像信号を出力させることを特徴とするテレビジョンカメラ装置。
【発明の詳細な説明】
【技術分野】
【０００１】
本発明は、テレビジョンカメラ装置において、部位毎の分けた映像信号を出力させるテレビジョンカメラ装置に関する。
【背景技術】
【０００２】
テレビジョンカメラ装置を用いて、例えば、細胞の観察を行う場合、従来の技術では、ある範囲内の波長で色分解された映像信号が、全て重なった状態で出力されるものであった。
【０００３】
図４は、従来のテレビジョンカメラ装置の構成を示す図である（文献公知発明に係るものではない）。
【０００４】
レーザー光４１が素材４２を照射し、照射した光がテレビジョンカメラ４３のレンズ４４を通して内部に導かれ、Ｂ（青）反射，ＲＧ（赤緑）透過ミラー４５、Ｒ（赤）反射Ｇ（緑）透過ミラー４６、反射ミラー４７，４８、Ｒ（赤）フィルタ４９、Ｇ（緑）フィルタ５０、Ｂ（青）フィルタ５１により、赤（Ｒ）の光、緑（Ｇ）の光、青（Ｂ）の光が抽出される。
【０００５】
したがって素材４２のうち赤(Ｒ)の素材はＲ（赤）撮像管５２を通り出力される。同様に素材４２のうち緑(Ｇ)の素材はＧ（緑）撮像管５３を通り出力され、素材４２のうち青(Ｂ)の素材はＢ（青）撮像管５４を通り出力される。従来のテレビジョンカメラ４３の出力は、この赤(Ｒ)、緑(Ｇ)、青(Ｂ)の映像信号を重ね合わせて出力していた。
【発明の開示】
【発明が解決しようとする課題】
【０００６】
赤(Ｒ)、緑(Ｇ)、青(Ｂ)の波長には例えば図２に示すようにそれぞれ範囲がある為、その範囲内の波長は全てそのフィルタを通過してしまう。このことを示したのが図５である。
【０００７】
図５は、図２の中の特定波長（１），（２），（３）について素材４２を撮影した場合の例である。この例では、特定波長（１），（２），（３）は全て青(Ｂ)の波長範囲内にある為、従来のテレビジョンカメラ４３では、全ての特定波長（１），（２），（３）がＢ（青）フィルタ５１を通過してしまうので、全て重なった映像信号を出力していた。
【０００８】
したがって、例えば、細胞の観察を行う場合、全ての部位が重なった映像信号だけでなく、部位毎の分けた映像信号を出力したい場合に出力することができなかった。
【０００９】
本発明の目的は、部位単位の映像信号を出力することが可能なテレビジョンカメラ装置を提供することにある。
【課題を解決するための手段】
【００１０】
本発明は、上記の目的を達成するため、取り出したい素材の特定波長のレーザー光で素材を照射し、カメラの前に前記特定波長のフィルタを配置して、前記特定波長の映像信号を出力させることを特徴とする。
【発明の効果】
【００１１】
本発明によれば、部位単位の映像信号を出力することが可能なテレビジョンカメラ装置を得ることができる。
【発明を実施するための最良の形態】
【００１２】
以下この発明の実施の形態を図により説明する。
図１は、本発明によるテレビジョンカメラ装置の第１の実施の形態の構成を示す図である。
【００１３】
特定波長のレーザー光１１が素材１２を照射し、分光光学系１３により特定波長の各々の光に分けられる。分光光学系１３から取り出した特定波長の各々の光は、各々、特定波長（１）用フィルタ１４ａ，特定波長（２）用フィルタ１４ｂ，特定波長（３）用フィルタ１４ｃを通り、各々のカメラ１５ａ，１５ｂ，１５ｃに入る。
【００１４】
各々のカメラ１５ａ，１５ｂ，１５ｃのレンズ１６ａ，１６ｂ，１６ｃを通過した特定波長の光は、各々の撮像管１７ａ，１７ｂ，１７ｃを通り、カメラコントロールユニット１８に入力される。カメラコントロールユニット１８に入力された映像信号は、カメラコントロールユニット１８の内部で信号処理され出力される。
【００１５】
図１は、図２の波長と色成分を示した図の中の、特定波長（１），（２），（３）を用いた場合の例である。
【００１６】
レーザー光１１として素材１２の特定波長（１）のレーザー光を用いて素材１２を照射した場合は、特定波長（１）のレーザー光のみが特定波長（１）用フィルタ１４ａを通りカメラ１５ａを通ってカメラコントロールユニット１８に入力されるので、特定波長（１）の映像信号のみを出力することができる。
【００１７】
同様に、レーザー光１１として素材１２の特定波長（２）のレーザー光を用いて素材１２を照射した場合は、特定波長（２）のレーザー光のみが特定波長（２）用フィルタ１４ｂを通りカメラ１５ｂを通ってカメラコントロールユニット１８に入力されるので、特定波長（２）の映像信号のみを出力することができる。
【００１８】
同様に、レーザー光１１として素材１２の特定波長（３）のレーザー光を用いて素材１２を照射した場合は、特定波長（３）のレーザー光のみが特定波長（３）用フィルタ１４ｃを通りカメラ１５ｃを通ってカメラコントロールユニット１８に入力されるので、特定波長（３）の映像信号のみを出力することができる。
【００１９】
また、レーザー光１１として素材１２の特定波長（１）と（２）のレーザー光を用いて素材１２を照射した場合は、特定波長（１）のレーザー光のみが特定波長（１）用フィルタ１４ａを通りカメラ１５ａを通ってカメラコントロールユニット１８に入力され、特定波長（２）のレーザー光のみが特定波長（２）用フィルタ１４ｂを通りカメラ１５ｂを通ってカメラコントロールユニット１８に入力されるので、特定波長（１）と（２）の混ざった映像信号を出力することができる。
【００２０】
図３は、本発明によるテレビジョンカメラ装置の第２の実施の形態の構成を示す図である。図１と同一箇所には同一符号をつけた。本実施の形態においては、各々のカメラ１５ａ，１５ｂ，１５ｃの前に、各々、Ｒ（赤）フィルタ１９、Ｇ（緑）フィルタ２０、Ｂ（青）フィルタ２１を配置し、赤（Ｒ）の光、緑（Ｇ）の光、青（Ｂ）の光が抽出される例である。
【００２１】
カメラコントロールユニット１８がＣＰＵ１８ａとアナログ信号処理回路１８ｂとデジタル信号処理回路１８ｃから構成され、ＣＰＵ１８ａはアナログ信号処理回路１８ｂとデジタル信号処理回路１８ｃと各々の撮像管１７ａ，１７ｂ，１７ｃを制御することができる。
【００２２】
撮像管１７ａ，１７ｂ，１７ｃは、撮像管の特性より波長に応じて感度が異なる場合がある。例えば、色成分が赤(Ｒ)、緑(Ｇ)の場合に比べて青(Ｂ)の感度の方が良い場合は、図３に示すようにカメラコントロールユニット１８のＣＰＵ１８ａから、感度補正信号によって、青(Ｂ)成分用のカメラ１５ｃの感度を制御することにより、映像信号の感度を合わせることができる。
【００２３】
これは、図１の特定波長を用いた実施の形態でも同様に行うことができる。
【００２４】
本発明の実施の形態によれば、部位単位の映像信号を出力することが可能なテレビジョンカメラ装置を得ることができる。また本発明の実施の形態によれば、カメラの感度を制御して映像信号の感度を合わせることができる。
【図面の簡単な説明】
【００２５】
【図１】本発明によるテレビジョンカメラ装置の第１の実施の形態の構成を示す図である。
【図２】波長に対する色成分を示す図である。
【図３】本発明によるテレビジョンカメラ装置の第２の実施の形態の構成を示す図である。
【図４】従来のテレビジョンカメラ装置の構成を示す図である。
【図５】従来のテレビジョンカメラ装置の構成で、特定波長成分を取り出した場合を示す図である。
【符号の説明】
【００２６】
１１…レーザー光、１２…素材、１３…分光光学系、１４ａ，１４ｂ，１４ｃ…特定波長用フィルタ、１５ａ，１５ｂ，１５ｃ…カメラ、１６ａ，１６ｂ，１６ｃ…レンズ、１７ａ，１７ｂ，１７ｃ…撮像管、１８…カメラコントロールユニット、１８ａ…ＣＰＵ。
【図１】
2006003247.tif 000003
【図２】
2006003247.tif 000004
【図３】
2006003247.tif 000005
【図４】
2006003247.tif 000006
【図５】
2006003247.tif 000007